(57)【要約】  本開示は、目標対象物追跡方法及び装置、電子機器並びに記憶媒体に関する。前記方法は、目標対象物の第１の参照画像を取得すること（Ｓ１０）と、前記第１の参照画像により、時間情報と場所情報が含まれている被分析画像から前記目標対象物の時間情報と場所情報を特定すること（Ｓ２０）と、前記目標対象物の前記時間情報と前記場所情報により、前記目標対象物の軌跡を特定すること（Ｓ３０）と、前記目標対象物の軌跡により、前記目標対象物を追跡するための追跡情報を生成すること（Ｓ４０）と、を含む。前記方法では、目標対象物の第１の参照画像により被分析画像から目標対象物の軌跡を特定し、目標対象物の軌跡により得られた目標対象物の追跡情報の正確率が高くて、目標対象物追跡の成功率を高めることができる。【選択図】図１
2021508900.tif 000002
【特許請求の範囲】
【請求項１】
目標対象物の第１の参照画像を取得することと、
前記第１の参照画像により、時間情報と場所情報が含まれている被分析画像から前記目標対象物の時間情報と場所情報を特定することと、
前記目標対象物の前記時間情報と前記場所情報により、前記目標対象物の軌跡を特定することと、
前記目標対象物の軌跡により、前記目標対象物を追跡するための追跡情報を生成することと、を含むことを特徴とする目標対象物追跡方法。
【請求項２】
目標対象物の第１の参照画像を取得した後に、
前記目標対象物の識別情報を特定することを更に含み、
前記目標対象物の軌跡により、前記目標対象物を追跡するための追跡情報を生成することは、
前記目標対象物の軌跡と前記目標対象物の識別情報により、前記目標対象物を追跡するための追跡情報を生成することを含むことを特徴とする請求項１に記載の方法。
【請求項３】
前記目標対象物の識別情報を特定することは、
前記目標対象物の第１の参照画像により、対象物の識別情報が含まれている識別画像を含む識別画像データベースから前記目標対象物を検出することと、
前記識別画像データベースから検出された目標対象物により、前記目標対象物の識別情報を特定することと、を含むことを特徴とする請求項２に記載の方法。
【請求項４】
前記目標対象物の識別情報を特定することは、
前記目標対象物の第１の参照画像により前記識別画像データベースから目標対象物を検出できない場合に、前記被分析画像から鮮明度が前記第１の参照画像の鮮明度より高い前記目標対象物の第２の参照画像を特定することと、
前記目標対象物の第２の参照画像により、前記識別画像データベースから前記目標対象物を検出することと、
前記識別画像データベースから検出された目標対象物により、前記目標対象物の識別情報を特定することと、を更に含むことを特徴とする請求項３に記載の方法。
【請求項５】
前記被分析画像から前記目標対象物の関連対象物を特定することと、
前記関連対象物の軌跡を特定することと、を更に含み、
前記目標対象物の軌跡により、前記目標対象物を追跡するための追跡情報を生成することは、
前記目標対象物の軌跡と前記関連対象物の軌跡により、前記目標対象物を追跡するための追跡情報を生成することを含むことを特徴とする請求項１に記載の方法。
【請求項６】
前記被分析画像から前記目標対象物の関連対象物を特定することは、
前記被分析画像から前記目標対象物が含まれている目標画像を特定することと、
前記目標画像から前記目標対象物の関連対象物を特定することと、を含むことを特徴とする請求項５に記載の方法。
【請求項７】
前記目標画像から前記目標対象物の関連対象物を特定することは、
前記目標画像から前記目標対象物の関連対象物候補を特定することと、
前記被分析画像から前記関連対象物候補を検出することと、
検出された前記関連対象物候補により、前記被分析画像から前記関連対象物候補の時間情報と場所情報を特定することと、
前記関連対象物候補の時間情報と場所情報により、前記関連対象物候補の軌跡を特定することと、
前記関連対象物候補の軌跡と前記目標対象物の軌跡の重なり度が重なり度閾値より大きい場合に、前記関連対象物候補を前記目標対象物の関連対象物と特定することと、を含むことを特徴とする請求項６に記載の方法。
【請求項８】
目標対象物の第１の参照画像を取得するための第１の参照画像取得モジュールと、
前記第１の参照画像により、時間情報と場所情報が含まれている被分析画像から前記目標対象物の時間情報と場所情報を特定するための情報特定モジュールと、
前記目標対象物の前記時間情報と前記場所情報により、前記目標対象物の軌跡を特定するための軌跡特定モジュールと、
前記目標対象物の軌跡により、前記目標対象物を追跡するための追跡情報を生成するための追跡情報生成モジュールと、を含むことを特徴とする目標対象物追跡装置。
【請求項９】
前記目標対象物の識別情報を特定するための第１の識別情報特定モジュールを更に含み、
前記追跡情報生成モジュールは、
前記目標対象物の軌跡と前記目標対象物の識別情報により、前記目標対象物を追跡するための追跡情報を生成するための第１の追跡情報生成サブモジュールを含むことを特徴とする請求項８に記載の装置。
【請求項１０】
前記第１の識別情報特定モジュールは、
前記目標対象物の第１の参照画像により、対象物の識別情報が含まれている識別画像を含む識別画像データベースから前記目標対象物を検出するための第１の検出サブモジュールと、
前記識別画像データベースから検出された目標対象物により、前記目標対象物の識別情報を特定するための第１の識別情報特定サブモジュールと、を含むことを特徴とする請求項９に記載の装置。
【請求項１１】
前記第１の識別情報特定モジュールは、
前記目標対象物の第１の参照画像により前記識別画像データベースから目標対象物を検出できない場合に、前記被分析画像から鮮明度が前記第１の参照画像の鮮明度より高い前記目標対象物の第２の参照画像を特定するための第２の参照画像取得サブモジュールと、
前記目標対象物の第２の参照画像により、前記識別画像データベースから前記目標対象物を検出するための第２の検出サブモジュールと、
前記識別画像データベースから検出された目標対象物により、前記目標対象物の識別情報を特定するための第２の識別情報特定サブモジュールと、を更に含むことを特徴とする請求項１０に記載の装置。
【請求項１２】
前記被分析画像から前記目標対象物の関連対象物を特定するための関連対象物特定モジュールと、
前記関連対象物の軌跡を特定するための関連対象物軌跡特定モジュールと、を更に含み、
前記追跡情報生成モジュールは、
前記目標対象物の軌跡と前記関連対象物の軌跡により、前記目標対象物を追跡するための追跡情報を生成するための第２の追跡情報生成サブモジュールを含むことを特徴とする請求項８に記載の装置。
【請求項１３】
前記関連対象物特定モジュールは、
前記被分析画像から前記目標対象物が含まれている目標画像を特定するための目標画像特定サブモジュールと、
前記目標画像から前記目標対象物の関連対象物を特定するための第１の関連対象物特定サブモジュールと、を含むことを特徴とする請求項１２に記載の装置。
【請求項１４】
前記第１の関連対象物特定サブモジュールは、
前記目標画像から前記目標対象物の関連対象物候補を特定するための関連対象物候補特定ユニットと、
前記被分析画像から前記関連対象物候補を検出するための関連対象物候補検出ユニットと、
検出された前記関連対象物候補により、前記被分析画像から前記関連対象物候補の時間情報と場所情報を特定するための関連対象物候補情報特定ユニットと、
前記関連対象物候補の時間情報と場所情報により、前記関連対象物候補の軌跡を特定するための関連対象物候補軌跡特定ユニットと、
前記関連対象物候補の軌跡と前記目標対象物の軌跡の重なり度が重なり度閾値より大きい時に、前記関連対象物候補を前記目標対象物の関連対象物と特定するための第２の関連対象物特定ユニットと、を含むことを特徴とする請求項１３に記載の装置。
【請求項１５】
請求項１〜７のいずれか一項に記載の方法を実行するように構成されるプロセッサと、
プロセッサにより実行可能なコマンドを記憶するためのメモリと、を含むことを特徴とする電子機器。
【請求項１６】
コンピュータプログラムコマンドを記憶したコンピュータ読み取り可能な記憶媒体であって、前記コンピュータプログラムコマンドがプロセッサにより実行されると、請求項１〜７のいずれか一項に記載の方法が実現されることを特徴とするコンピュータ読み取り可能な記憶媒体。
【請求項１７】
コンピュータ読み取り可能なコードを含むコンピュータプログラムであって、前記コンピュータ読み取り可能なコードが電子機器上で作動すると、前記電子機器におけるプロセッサに請求項１〜７のいずれか一項に記載の方法を実行させることを特徴とするコンピュータプログラム。
【発明の詳細な説明】
【技術分野】
【０００１】
本開示は、セキュリティ技術に関し、特に、目標対象物追跡方法及び装置、電子機器並びに記憶媒体に関する。
【背景技術】
【０００２】
情報技術の発展につれて、目標対象物を追跡する追跡情報が必要される場合が多くなる。例えば、公安等のセキュリティ管理部門では、追跡情報を用いて容疑者を見張ることにより、逮捕成功率を高めることができる。
【発明の概要】
【０００３】
これに鑑みて、本開示は、目標対象物追跡の技術的手段を提供する。
【０００４】
本開示の一方面によれば、目標対象物の第１の参照画像を取得することと、前記第１の参照画像により、時間情報と場所情報が含まれている被分析画像から前記目標対象物の時間情報と場所情報を特定することと、前記目標対象物の前記時間情報と前記場所情報により、前記目標対象物の軌跡を特定することと、前記目標対象物の軌跡により、前記目標対象物を追跡するための追跡情報を生成することと、を含む目標対象物追跡方法を提供する。
【０００５】
可能な一実施形態では、前記方法は、目標対象物の第１の参照画像を取得した後に、前記目標対象物の識別情報を特定することを更に含み、前記目標対象物の軌跡により、前記目標対象物を追跡するための追跡情報を生成することは、前記目標対象物の軌跡と前記目標対象物の識別情報により、前記目標対象物を追跡するための追跡情報を生成することを含む。
【０００６】
可能な一実施形態では、前記目標対象物の識別情報を特定することは、前記目標対象物の第１の参照画像により、対象物の識別情報が含まれている識別画像を含む識別画像データベースから前記目標対象物を検出することと、前記識別画像データベースから検出された目標対象物により、前記目標対象物の識別情報を特定することと、を含む。
【０００７】
可能な一実施形態では、前記目標対象物の識別情報を特定することは、前記目標対象物の第１の参照画像により前記識別画像データベースから目標対象物を検出できない場合に、前記被分析画像から鮮明度が前記第１の参照画像の鮮明度より高い前記目標対象物の第２の参照画像を特定することと、前記目標対象物の第２の参照画像により、前記識別画像データベースから前記目標対象物を検出することと、前記識別画像データベースから検出された目標対象物により、前記目標対象物の識別情報を特定することと、を更に含む。
【０００８】
可能な一実施形態では、前記方法は、前記被分析画像から前記目標対象物の関連対象物を特定することと、前記関連対象物の軌跡を特定することと、を更に含み、前記目標対象物の軌跡により、前記目標対象物を追跡するための追跡情報を生成することは、前記目標対象物の軌跡と前記関連対象物の軌跡により、前記目標対象物を追跡するための追跡情報を生成することを含む。
【０００９】
可能な一実施形態では、前記被分析画像から前記目標対象物の関連対象物を特定することは、前記被分析画像から前記目標対象物が含まれている目標画像を特定することと、前記目標画像から前記目標対象物の関連対象物を特定することと、を含む。
【００１０】
可能な一実施形態では、前記目標画像から前記目標対象物の関連対象物を特定することは、前記目標画像から前記目標対象物の関連対象物候補を特定することと、前記被分析画像から前記関連対象物候補を検出することと、検出された前記関連対象物候補により、前記被分析画像から前記関連対象物候補の時間情報と場所情報を特定することと、前記関連対象物候補の時間情報と場所情報により、前記関連対象物候補の軌跡を特定することと、前記関連対象物候補の軌跡と前記目標対象物の軌跡の重なり度が重なり度閾値より大きい場合、前記関連対象物候補を前記目標対象物の関連対象物と特定することと、を含む。
【００１１】
本開示の一方面によれば、目標対象物の第１の参照画像を取得するための第１の参照画像取得モジュールと、前記第１の参照画像により、時間情報と場所情報が含まれている被分析画像から前記目標対象物の時間情報と場所情報を特定するための情報特定モジュールと、前記目標対象物の前記時間情報と前記場所情報により、前記目標対象物の軌跡を特定するための軌跡特定モジュールと、前記目標対象物の軌跡により、前記目標対象物を追跡するための追跡情報を生成するための追跡情報生成モジュールと、を含む目標対象物追跡装置を提供する。
【００１２】
可能な一実施形態では、前記装置は、前記目標対象物の識別情報を特定するための第１の識別情報特定モジュールを更に含み、前記追跡情報生成モジュールは、前記目標対象物の軌跡と前記目標対象物の識別情報により、前記目標対象物を追跡するための追跡情報を生成するための第１の追跡情報生成サブモジュールを含む。
【００１３】
可能な一実施形態では、前記第１の識別情報特定モジュールは、前記目標対象物の第１の参照画像により、対象物の識別情報が含まれている識別画像を含む識別画像データベースから前記目標対象物を検出するための第１の検出サブモジュールと、前記識別画像データベースから検出された目標対象物により、前記目標対象物の識別情報を特定するための第１の識別情報特定サブモジュールと、を含む。
【００１４】
可能な一実施形態では、前記第１の識別情報特定モジュールは、前記目標対象物の第１の参照画像により前記識別画像データベースから目標対象物を検出できない場合に、前記被分析画像から鮮明度が前記第１の参照画像の鮮明度より高い前記目標対象物の第２の参照画像を特定するための第２の参照画像取得サブモジュールと、前記目標対象物の第２の参照画像により、前記識別画像データベースから前記目標対象物を検出するための第２の検出サブモジュールと、前記識別画像データベースから検出された目標対象物により、前記目標対象物の識別情報を特定するための第２の識別情報特定サブモジュールと、を更に含む。
【００１５】
可能な一実施形態では、前記装置は、前記被分析画像から前記目標対象物の関連対象物を特定するための関連対象物特定モジュールと、前記関連対象物の軌跡を特定するための関連対象物軌跡特定モジュールと、を更に含み、前記追跡情報生成モジュールは、前記目標対象物の軌跡と前記関連対象物の軌跡により、前記目標対象物を追跡するための追跡情報を生成するための第２の追跡情報生成サブモジュールを含む。
【００１６】
可能な一実施形態では、前記関連対象物特定モジュールは、前記被分析画像から前記目標対象物が含まれている目標画像を特定するための目標画像特定サブモジュールと、前記目標画像から前記目標対象物の関連対象物を特定するための第１の関連対象物特定サブモジュールと、を含む。
【００１７】
可能な一実施形態では、前記第１の関連対象物特定サブモジュールは、前記目標画像から前記目標対象物の関連対象物候補を特定するための関連対象物候補特定ユニットと、前記被分析画像から前記関連対象物候補を検出するための関連対象物候補検出ユニットと、検出された前記関連対象物候補により、前記被分析画像から前記関連対象物候補の時間情報と場所情報を特定するための関連対象物候補情報特定ユニットと、前記関連対象物候補の時間情報と場所情報により、前記関連対象物候補の軌跡を特定するための関連対象物候補軌跡特定ユニットと、前記関連対象物候補の軌跡と前記目標対象物の軌跡の重なり度が重なり度閾値より大きい場合に、前記関連対象物候補を前記目標対象物の関連対象物と特定するための第２の関連対象物特定ユニットと、を含む。
【００１８】
本開示の一方面によれば、上記目標対象物追跡方法を実現するように構成されるプロセッサと、プロセッサにより実行可能なコマンドを記憶するためのメモリと、を含む電子機器を提供する。
【００１９】
本開示の一方面によれば、コンピュータプログラムコマンドを記憶したコンピュータ読み取り可能な記憶媒体であって、前記コンピュータプログラムコマンドがプロセッサにより実行されると、上記目標対象物追跡方法が実現されるコンピュータ読み取り可能な記憶媒体を提供する。
【００２０】
本開示の一方面によれば、コンピュータ読み取り可能なコードを含むコンピュータプログラムであって、前記コンピュータ読み取り可能なコードが電子機器上で作動すると、前記電子機器におけるプロセッサに上記目標対象物追跡方法を実行させるコンピュータプログラムを提供する。
【００２１】
本開示の実施例では、目標対象物の第１の参照画像により被分析画像から目標対象物の時間情報と場所情報を特定することができる。目標対象物の時間情報と場所情報により目標対象物の軌跡を特定した後、目標対象物の軌跡により目標対象物を追跡するための追跡情報を生成する。目標対象物の第１の参照画像により被分析画像から目標対象物の軌跡を特定し、目標対象物の軌跡により得られた目標対象物の追跡情報の正確率が高くて、目標対象物追跡の成功率を高めることができる。
【００２２】
以下、図面を参照しながら例示的な実施例について詳細に説明することにより、本開示の他の特徴及び方面は明瞭になる。
【図面の簡単な説明】
【００２３】
明細書に含まれ且つ明細書の一部を構成する図面は、明細書と共に本開示の例示的な実施例、特徴及び方面を示し、更に本開示の原理を解釈するために用いられる。
【図１】例示的実施例に係る目標対象物追跡方法のフローチャートである。
【図２】例示的実施例に係る目標対象物追跡方法のフローチャートである。
【図３】例示的実施例に係る目標対象物追跡方法のステップＳ５０のフローチャートである。
【図４】例示的実施例に係る目標対象物追跡方法のステップＳ５０のフローチャートである。
【図５】例示的実施例に係る目標対象物追跡方法のフローチャートである。
【図６】例示的実施例に係る目標対象物追跡方法のステップＳ６０のフローチャートである。
【図７】例示的実施例に係る目標対象物追跡装置のブロック図である。
【図８】例示的実施例に係る目標対象物追跡装置のブロック図である。
【図９】例示的実施例に係る電子機器のブロック図である。
【発明を実施するための形態】
【００２４】
以下に図面を参照しながら本開示の様々な例示的実施例、特徴および方面を詳細に説明する。図面において、同じ符号が同じまたは類似する機能の要素を表す。図面において実施例の様々な方面を示したが、特に断らない限り、比例に従って図面を作る必要がない。
【００２５】
ここの用語「例示的」とは、「例、実施例として用いられることまたは説明的なもの」を意味する。ここで「例示的」に説明されるいかなる実施例も他の実施例より好ましい又は優れるものであると理解すべきではない。
【００２６】
また、本開示をより効果的に説明するために、以下の具体的な実施形態において様々な具体的詳細を示す。当業者であれば、何らかの具体的詳細がなくても、本開示が実施できるということを理解すべきである。いくつかの実施例では、本開示の趣旨を強調するように、当業者に既知の方法、手段、要素および回路について、詳細な説明を行わない。
【００２７】
図１は例示的実施例に係る目標対象物追跡方法のフローチャートである。図１に示すように、前記目標対象物追跡方法は以下のステップを含む。
【００２８】
ステップＳ１０、目標対象物の第１の参照画像を取得する。
【００２９】
可能な一実施形態では、目標対象物は人、動物、植物、建物等の各種の対象物を含んでよい。目標対象物は１つであってもよく、複数であってもよい。目標対象物は１種の対象物であってもよく、多種の対象物の組合であってもよい。
【００３０】
目標対象物の第１の参照画像は、目標対象物の写真又は肖像等を含んでよい。第１の参照画像は静的画像であってもよく、ビデオストリーム内のフレーム画像であってもよい。第１の参照画像において前記目標対象物の画像のみを含んでもよく、他の対象物の画像を含んでもよい。第１の参照画像は１枚の目標対象物の画像を含んでもよく、複数枚の目標対象物の画像を含んでもよい。
【００３１】
ステップＳ２０、前記第１の参照画像により、時間情報と場所情報が含まれている被分析画像から前記目標対象物の時間情報と場所情報を特定する。
【００３２】
可能な一実施形態では、被分析画像は元の撮影画像を含んでよく、例えば被分析画像は監視カメラにより撮影された画像であってよい。被分析画像には複数の対象物を含んでもよく、単一の対象物を含んでもよい。例えば、混雑の場所の監視カメラにより撮影された監視画像を被分析画像と特定した場合に、撮影された監視画像Ａに複数の対象物を含んでよい。
【００３３】
被分析画像は元の撮影画像から切り出した画像を含んでもよい。例えば、監視カメラにより撮影された元の画像に対して顔認識を行って、元の画像内の各対象物の検出結果、例えば各対象物の検出枠を取得する。各対象物の検出結果により元の画像から対応する画像を切り出して、各対象物の被分析画像を取得してよい。例えば、インターネットカフェの監視カメラにより撮影された監視画像Ｂに、人１、人２及び人３の合計３つの対象物を含む。顔認識技術を用いて監視画像Ｂから３つの対象物の検出枠を検出する。３つの検出枠により監視画像Ｂから対応する画像を切り出して、人１の被分析画像１、人２の被分析画像２及び人３の被分析画像３を取得することができる。この時に、各被分析画像に１つの対象物のみを含む。
【００３４】
被分析画像の時間情報は前記被分析画像が撮影された時間を含んでよい。被分析画像の場所情報は前記被分析画像が撮影された場所を含んでよい。例えば、前記被分析画像が監視カメラにより撮影された監視画像である場合、監視画像の撮影時間により前記被分析画像の時間情報を特定し、前記カメラの取付位置により前記被分析画像の場所情報を特定することができる。場所情報は経度緯度情報と郵便住所情報を含んでよい。
【００３５】
第１の参照画像に対して目標対象物の検出を行い、目標対象物の検出結果を取得してよい。画像認識技術を用いて第１の参照画像から目標対象物を検出することができる。また、第１の参照画像を対応するニューラルネットワークに入力し、ニューラルネットワークの出力結果により被分析画像から目標対象物を検出することもできる。
【００３６】
第１の参照画像から検出された目標対象物により、被分析画像に対して目標対象物の検出を行ってよい。被分析画像から目標対象物が検出された場合に、検出された目標対象物の所在する被分析画像の時間情報と場所情報により、目標対象物の時間情報と場所情報を取得することができる。
【００３７】
被分析画像が複数含まれて、目標対象物の複数の時間情報と場所情報を取得してよい。
【００３８】
ステップＳ３０、前記目標対象物の前記時間情報と前記場所情報により前記目標対象物の軌跡を特定する。
【００３９】
可能な一実施形態では、目標対象物の時間情報と場所情報は一対一に対応してよい。目標対象物の時間情報により、時間の先後順序で場所情報を関連付けて目標対象物の軌跡を取得することができる。例えば、目標対象物のリスト方式の軌跡を取得する。
【００４０】
また、地図において目標対象物の時間情報と場所情報をマーキングし、且つマーキングされた前記場所情報と時間情報により、時間の先後順序で地図での各マークを順に連結して、目標対象物の線形の軌跡を取得することもできる。地図での目標対象物の線形軌跡がより直感的なものである。
【００４１】
目標対象物の時間情報と場所情報が１対しかない場合に、目標対象物の軌跡は１つの時間点に対応する場所であってよい。
【００４２】
ステップＳ４０、前記目標対象物の軌跡により、前記目標対象物を追跡するための追跡情報を生成する。
【００４３】
可能な一実施形態では、目標対象物の軌跡により、目標対象物の活動規律を特定したり、目標対象物がよく出現する時間及び／又は場所を特定したりすることができ、目標対象物の出現可能な時間と場所を予測し、且つ予測結果により前記目標対象物を追跡するための追跡情報を生成することができる。例えば、セキュリティ管理部門は、容疑者の軌跡により容疑者がよく出現する時間と場所を特定し、容疑者の軌跡により出現可能な時間と場所を予測し、且つ予測結果により容疑者に対する追跡情報を生成することができ、容疑者追跡の成功率を高めることができる。
【００４４】
本実施例では、目標対象物の第１の参照画像により、被分析画像から目標対象物の時間情報と場所情報を特定することができる。目標対象物の時間情報と場所情報により目標対象物の軌跡を特定した後、目標対象物の軌跡により目標対象物を追跡するための追跡情報を生成する。目標対象物の第１の参照画像により被分析画像から目標対象物の軌跡を特定し、目標対象物の軌跡により得られた目標対象物の追跡情報の正確率が高くて、目標対象物追跡の成功率を高めることができる。
【００４５】
図２は例示的実施例に係る目標対象物追跡方法のフローチャートである。図２に示すように、前記目標対象物追跡方法は、ステップＳ１０の後に、前記目標対象物の識別情報を特定するステップＳ５０を更に含む。
【００４６】
可能な一実施形態では、目標対象物の識別情報は目標対象物の名称、属性、特徴等の情報を含んでよい。識別情報を用いて目標対象物を他の対象物と区別することができる。識別情報を用いて目標対象物のより全面的な情報を取得することができる。
【００４７】
例えば、目標対象物が人である場合に、識別情報は目標対象物の身分証明書情報、犯罪歴情報、社会関係情報等を含んでよい。
【００４８】
必要に応じて複数の識別情報ベースを構築することできる。必要に応じて対応する識別情報ベースで検索することができる。必要に応じて、予め設定された目標対象物の識別情報を取得することができる。必要に応じて目標対象物の予め設定された識別情報を取得することもできる。例えば、目標対象物が人である場合に、身分証明書情報ベースを構築してよい。必要に応じて年齢範囲が２０歳−４０歳の容疑者の身分証明書情報を取得することができる。年齢範囲が２０歳−４０歳の容疑者の住所情報を取得することもできる。
【００４９】
ステップＳ４０は、前記目標対象物の軌跡と前記目標対象物の識別情報により、前記目標対象物を追跡するための追跡情報を生成するステップＳ４１を含む。
【００５０】
可能な一実施形態では、目標対象物の軌跡に加えて目標対象物の識別情報により、追跡情報を取得することができる。例えば、目標対象物の識別情報により、目標対象物の年齢、身長、体重等の特徴を特定し、生成する追跡情報に目標対象物の年齢、身長、体重等の特徴を含ませて、より全面的な目標対象物の情報を追跡情報の利用者に取得させることができる。
【００５１】
本実施例では、目標対象物の識別情報を特定し、目標対象物の軌跡と識別情報により目標対象物を追跡するための追跡情報を生成する。識別情報を用いることで、より全面的且つ正確な追跡情報を取得できる。生成した追跡情報が目標対象物追跡に用いられる場合に、識別情報により目標対象物追跡の成功率を高めることができる。
【００５２】
図３は例示的実施例に係る目標対象物追跡方法のステップＳ５０のフローチャートである。図３に示すように、前記目標対象物追跡方法のステップＳ５０は以下のステップを含む。
【００５３】
ステップＳ５１、前記目標対象物の第１の参照画像により、対象物の識別情報が含まれている識別画像を含む識別画像データベースから前記目標対象物を検出する。
【００５４】
可能な一実施形態では、識別画像データベースに複数の目標対象物の識別画像を含み、且つ各識別画像に目標対象物の識別情報を含む。必要に応じて設定条件を満たす対象物に対して識別画像データベースを構築してよい。例えば、犯罪歴がある対象物に対して識別画像データベースを構築してよい。設定された識別範囲を満たす対象物の識別画像データベースを構築してよい。例えば、設定された年齢範囲、設定された性別等の識別情報を満たす対象物の識別画像データベースを構築してよい。
【００５５】
第１の参照画像内の目標対象物により識別画像データベース内の識別画像から前記目標対象物を検出できる。画像認識等の技術を用いて識別画像データベースから目標対象物を検出できる。また、目標対象物の第１の参照画像をニューラルネットワークに入力し、ニューラルネットワークの出力結果により識別画像データベースから目標対象物を検出することもできる。
【００５６】
例えば、識別画像データベースは身分証明書情報ベースを含んでよい。身分証明書情報ベース内の識別画像は、各人の身分証明書上の写真を含んでよい。各識別画像は更に各人の身分証明書上の氏名、住所、年齢等の身分証明書情報を含む。容疑者Ａの写真１により身分証明書情報ベース内の写真から容疑者Ａを検出できる。
【００５７】
ステップＳ５２、前記識別画像データベースから検出された目標対象物により、前記目標対象物の識別情報を特定する。
【００５８】
可能な一実施形態では、識別画像データベースから目標対象物が検出された場合に、検出結果により目標対象物に対応する識別画像を特定し、目標対象物に対応する識別情報を特定することができる。例えば、身分証明書情報ベースから容疑者Ａの身分証明書写真が検出された場合に、検出結果により容疑者Ａの氏名、年齢、住所等の身分証明書上の識別情報を特定できる。
【００５９】
本実施例では、目標対象物の第１の参照画像により、識別画像データベースから目標対象物の識別情報を特定できる。識別画像データベースを用いることで、目標対象物を容易且つ正確に検出でき、最終的に生成する目標対象物の追跡情報がより正確になる。
【００６０】
図４は例示的実施例に係る目標対象物追跡方法のステップＳ５０のフローチャートである。図４に示すように、前記目標対象物追跡方法のステップＳ５０は、更に以下のステップを含む。
【００６１】
ステップＳ５３、前記目標対象物の第１の参照画像により前記識別画像データベースから目標対象物を検出できない場合に、前記被分析画像から鮮明度が前記第１の参照画像の鮮明度より高い前記目標対象物の第２の参照画像を特定する。
【００６２】
可能な一実施形態では、撮影角度、撮影環境によって、第１の参照画像内の目標対象物の鮮明度と特徴が異なることがある。第１の参照画像内の目標対象物の鮮明度が悪く又は特徴が不完全である場合に、識別画像データベースから目標対象物を検出できないことがある。
【００６３】
第１の参照画像により識別画像データベースから目標対象物を検出できない場合に、前記被分析画像から鮮明度が前記第１の参照画像の鮮明度より高い前記目標対象物の第２の参照画像を特定してよい。被分析画像データベースには複数の候補対象物の画像を含んでよく、被分析画像内の候補対象物と第１の参照画像内の目標対象物との類似度により、被分析画像から目標対象物を特定できる。また、目標対象物の特定結果により被分析画像から目標対象物の第２の参照画像を特定する。
【００６４】
可能な一実施形態では、被分析画像内の候補対象物と目標対象物との類似度が類似度閾値より大きい場合に、候補対象物を目標対象物と特定できる。
【００６５】
例えば、容疑者Ｂの写真３は撮影時間が夜であるため、鮮明度が悪く、写真３により識別画像データベースから容疑者Ｂを検出することができない。容疑者Ｂの写真３により被分析画像データベースから容疑者Ｂの画像４を特定できる。画像４の鮮明度が写真３の鮮明度より高い。画像４内の容疑者Ｂがより鮮明であり、及び／又は容疑者Ｂの特徴がより全面的である。
【００６６】
ステップＳ５４、前記目標対象物の第２の参照画像により、前記識別画像データベースから前記目標対象物を検出する。
【００６７】
可能な一実施形態では、特定された目標対象物の第２の参照画像により識別画像データベースから目標対象物を検出し続けることができる。例えば、容疑者Ｂの画像４により、識別画像データベースから容疑者Ｂを検出し続けることができる。第２の参照画像の鮮明度が第１の参照画像の鮮明度より高いため、識別画像データベースから目標対象物が検出された成功率を高めることができる。
【００６８】
ステップＳ５５、前記識別画像データベースから検出された目標対象物により、前記目標対象物の識別情報を特定する。
【００６９】
可能な一実施形態では、第２の参照画像により識別画像データベースから目標対象物を検出した場合に、検出結果により目標対象物の識別情報を取得することができる。例えば、容疑者Ｂの画像４により身分証明書情報ベースから容疑者Ｂの身分証明書写真を検出した後、容疑者Ｂの氏名、年齢及び住所等の身分証明書上の識別情報を取得することができる。
【００７０】
本実施例では、目標対象物の第１の参照画像により識別画像データベースから目標対象物を検出できない場合に、前記被分析画像から前記目標対象物の第２の参照画像を特定し、第２の参照画像により識別画像データベースから目標対象物を検出し、目標対象物の識別情報を取得することができる。第１の参照画像が鮮明でない場合に、第２の参照画像により目標対象物の識別情報を取得でき、目標対象物の識別情報の取得成功率が高められる。
【００７１】
図５は例示的実施例に係る目標対象物追跡方法のフローチャートである。図５に示すように、前記目標対象物追跡方法は以下のステップを更に含む。
【００７２】
ステップＳ６０、前記被分析画像から前記目標対象物に関連する関連対象物を特定する。
【００７３】
可能な一実施形態では、目標対象物の関連対象物は、目標対象物と異なる時間で同一な場所で出現する対象物を含んでもよく、目標対象物と同じ時間で同一な場所で出現する対象物を含んでもよい。例えば、関連対象物は目標対象物と異なる時間で場所１、場所２で出現した対象物を含んでもよく、目標対象物と同じな３つの時間で同時に場所３で出現した対象物を含んでもよい。必要に応じて目標対象物の関連対象物を特定できる。
【００７４】
被分析画像から目標対象物と同一な場所で出現した候補対象物を検出し、予め設定された関連対象物特定条件に従って候補対象物から関連対象物を特定することができる。
【００７５】
目標対象物に複数の関連対象物を関連させてもよい。
【００７６】
ステップＳ７０、前記関連対象物の軌跡を特定する。
【００７７】
可能な一実施形態では、関連対象物の所在する画像により、被分析画像から関連対象物の時間情報と場所情報を特定し、関連対象物の時間情報と場所情報により、関連対象物の軌跡を特定することができる。関連対象物の軌跡特定のプロセスは、目標対象物の軌跡生成のプロセスと類似する。図１に示す実施例における目標対象物の軌跡生成のプロセスを参照してよい。
【００７８】
ステップＳ４０は、前記目標対象物の軌跡と前記関連対象物の軌跡により、前記目標対象物を追跡するための追跡情報を生成するステップＳ４２を含む。
【００７９】
可能な一実施形態では、目標対象物の軌跡において目標対象物の時間情報と場所情報が多い場合に、より限定的に目標対象物を追跡するために、目標対象物の軌跡と関連対象物の軌跡により目標対象物と関連対象物の交差軌跡を生成し、交差軌跡を用いて目標対象物を追跡するための追跡情報を生成することができる。
【００８０】
目標対象物の軌跡において目標対象物の時間情報と場所情報が少ない場合に、より有用な追跡情報を生成するために、目標対象物の軌跡と関連対象物の軌跡を組み合わせて組合せ軌跡を生成し、組合せ軌跡を用いて目標対象物を追跡するための追跡情報を生成することができる。
【００８１】
本実施例では、被分析画像から目標対象物の関連対象物を特定し、関連対象物の軌跡と目標対象物の軌跡により目標対象物を追跡するための追跡軌跡を生成する。関連対象物の軌跡を用いることで、目標対象物の軌跡を補足したり、修正したりして、より正確な追跡情報を生成することができる。
【００８２】
図６は例示的実施例に係る目標対象物追跡方法のステップＳ６０のフローチャートである。図６に示すように、前記目標対象物追跡方法のステップＳ６０は、
前記被分析画像から前記目標対象物が含まれている目標画像を特定するステップＳ６１と、
前記目標画像から前記目標対象物の関連対象物を特定するステップＳ６２と、を含む。
【００８３】
可能な一実施形態では、被分析画像から前記目標対象物が含まれている目標画像を特定できる。目標画像は目標対象物の所在する被分析画像であってよい。
【００８４】
被分析画像から目標対象物の複数の目標画像を特定できる。目標画像には目標対象物以外の１つ又は複数の他の対象物を含んでよい。各目標画像に含まれる他の対象物は異なってよい。必要に応じて、異なる関連対象物選択条件に従って目標画像から関連対象物を特定してよい。例えば、目標画像で出現した他の対象物を全て関連対象物と特定してよい。また、各目標画像で出現した回数が回数閾値より大きい他の対象物を関連対象物と特定してよい。
【００８５】
例えば、目標対象物１の目標画像は目標画像１、目標画像２及び目標画像３の３つものがある。ここで、目標画像１には目標対象物に加えて、対象物Ａ、対象物Ｂ及び対象物Ｃを含む。目標画像２には目標対象物に加えて、対象物Ｂ、対象物Ｃ、対象物Ｄ及び対象物Ｅを含む。目標画像３には目標対象物に加えて、対象物Ａ、対象物Ｃ、対象物Ｄ及び対象物Ｅを含む。出現回数が回数閾値より大きいという関連対象物選択条件に従って、出現回数が２回より大きい対象物Ｃを目標対象物の関連対象物と特定することができる。また、同一な場所で出現したという関連対象物選択条件に従って、対象物Ａ〜対象物Ｅを全て目標対象物の関連対象物と特定することができる。
【００８６】
本実施例では、被分析画像から目標対象物の目標画像を特定した後、目標画像から関連対象物を特定する。目標画像を用いることで、関連対象物を容易且つ正確に特定できる。
【００８７】
可能な一実施形態では、前記目標対象物追跡方法のステップＳ６２は、
前記目標画像から前記目標対象物の関連対象物候補を特定するステップと、
前記被分析画像から前記関連対象物候補を検出するステップと、
検出された前記関連対象物候補により、前記被分析画像から前記関連対象物候補の時間情報と場所情報を特定するステップと、
前記関連対象物候補の時間情報と場所情報により、前記関連対象物候補の軌跡を特定するステップと、
前記関連対象物候補の軌跡と前記目標対象物の軌跡の重なり度が重なり度閾値より大きい時に、前記関連対象物候補を前記目標対象物の関連対象物と特定するステップと、を含む。
【００８８】
可能な一実施形態では、必要に応じて目標画像から関連対象物候補を特定してよい。例えば、目標対象物の目標画像で出現した他の対象物を関連対象物候補と特定してよい。
【００８９】
目標画像内の関連対象物候補により被分析画像において検出することができる。画像認識技術を用いて被分析画像から関連対象物候補を認識することができる。また、目標画像内の関連対象物候補をニューラルネットワークに入力し、ニューラルネットワークを用いて被分析画像から関連対象物候補を検出することもできる。
【００９０】
被分析画像から関連対象物候補が検出された場合に、関連対象物候補が含まれている被分析画像の時間情報と場所情報により関連対象物候補の時間情報と場所情報を特定することができる。関連対象物候補の複数の時間情報と場所情報を特定できる。
【００９１】
関連対象物候補の時間情報と場所情報により、関連対象物候補の軌跡を取得することができる。例えば、時間順序で関連対象物候補の場所情報を関連付けて関連対象物候補の軌跡を取得することができる。また、地図において関連対象物候補の時間情報と場所情報をマーキングし、時間順序で各場所を線形連結して、関連対象物候補の線形の軌跡を取得することもできる。
【００９２】
必要に応じて重なり度閾値を設定し、関連対象物候補の軌跡と目標対象物の軌跡の重なり度が重なり度閾値より大きい場合に、関連対象物候補を目標対象物の関連対象物と特定してよい。関連対象物候補の軌跡と目標対象物の軌跡との重なりは、関連対象物候補の時間情報と場所情報が完全に重なっていることを含んでもよく、関連対象物候補の時間情報と目標対象物の時間情報が設定された時間範囲内で重なっていること、及び／又は関連対象物候補の場所情報と目標対象物の場所情報が設定された地理的範囲内で重なっていることを含んでもよい。
【００９３】
本実施例では、関連対象物候補の軌跡、目標対象物との重なり度及び重なり度閾値により目標対象物の関連対象物を特定する。関連対象物と目標対象物とは密接な関連関係がある。関連対象物の軌跡は、追跡情報の修正と補足に寄与する。
【００９４】
本開示で言及される上記各方法の実施例は、原理と論理に違反しない限り、相互に組み合わせて実施例を形成することができることが理解され、紙数に限りがあるので、本開示では詳細な説明を省略する。
【００９５】
図７は例示的実施例に係る目標対象物追跡装置のブロック図である。図７に示すように、前記目標対象物追跡装置は、
目標対象物の第１の参照画像を取得するための第１の参照画像取得モジュール１０と、
前記第１の参照画像により、時間情報と場所情報が含まれている被分析画像から前記目標対象物の時間情報と場所情報を特定するための情報特定モジュール２０と、
前記目標対象物の前記時間情報と前記場所情報により、前記目標対象物の軌跡を特定するための軌跡特定モジュール３０と、
前記目標対象物の軌跡により、前記目標対象物を追跡するための追跡情報を生成するための追跡情報生成モジュール４０と、を含む。
【００９６】
図８は例示的実施例に係る目標対象物追跡装置のブロック図である。図８に示すように、可能な一実施形態では、前記装置は、
前記目標対象物の識別情報を特定するための第１の識別情報特定モジュール５０を更に含み、
前記追跡情報生成モジュール４０は、
前記目標対象物の軌跡と前記目標対象物の識別情報により、前記目標対象物を追跡するための追跡情報を生成するための第１の追跡情報生成サブモジュール４１を含む。
【００９７】
可能な一実施形態では、前記第１の識別情報特定モジュール５０は、
前記目標対象物の第１の参照画像により、対象物の識別情報が含まれている識別画像を含む識別画像データベースから前記目標対象物を検出するための第１の検出サブモジュール５１と、
前記識別画像データベースから検出された目標対象物により、前記目標対象物の識別情報を特定するための第１の識別情報特定サブモジュール５２と、を含む。
【００９８】
可能な一実施形態では、前記第１の識別情報特定モジュール５０は、
前記目標対象物の第１の参照画像により前記識別画像データベースから目標対象物を検出できない場合に、前記被分析画像から鮮明度が前記第１の参照画像の鮮明度より高い前記目標対象物の第２の参照画像を特定するための第２の参照画像取得サブモジュール５３と、
前記目標対象物の第２の参照画像により、前記識別画像データベースから前記目標対象物を検出するための第２の検出サブモジュール５４と、
前記識別画像データベースから検出された目標対象物により、前記目標対象物の識別情報を特定するための第２の識別情報特定サブモジュール５５と、を更に含む。
【００９９】
可能な一実施形態では、前記装置は、
前記被分析画像から前記目標対象物の関連対象物を特定するための関連対象物特定モジュール６０と、
前記関連対象物の軌跡を特定するための関連対象物軌跡特定モジュール７０と、を更に含み、
前記追跡情報生成モジュール４０は、
前記目標対象物の軌跡と前記関連対象物の軌跡により、前記目標対象物を追跡するための追跡情報を生成するための第２の追跡情報生成サブモジュール４２を含む。
【０１００】
可能な一実施形態では、前記関連対象物特定モジュール６０は、
前記被分析画像から前記目標対象物が含まれている目標画像を特定するための目標画像特定サブモジュール６１と、
前記目標画像から前記目標対象物の関連対象物を特定するための第１の関連対象物特定サブモジュール６２と、を含む。
【０１０１】
可能な一実施形態では、前記第１の関連対象物特定サブモジュール６２は、
前記目標画像から前記目標対象物の関連対象物候補を特定するための関連対象物候補特定ユニットと、
前記被分析画像から前記関連対象物候補を検出するための関連対象物候補検出ユニットと、
検出された前記関連対象物候補により、前記被分析画像から前記関連対象物候補の時間情報と場所情報を特定するための関連対象物候補情報特定ユニットと、
前記関連対象物候補の時間情報と場所情報により、前記関連対象物候補の軌跡を特定するための関連対象物候補軌跡特定ユニットと、
前記関連対象物候補の軌跡と前記目標対象物の軌跡の重なり度が重なり度閾値より大きい場合に、前記関連対象物候補を前記目標対象物の関連対象物と特定するための第２の関連対象物特定ユニットと、を含む。
【０１０２】
いくつかの実施例では、本開示の実施例で提供される装置が備えている機能又はモジュールは、上述の方法の実施例で説明した方法を実行するために用いられることができる。具体的な実現については上述した方法の実施例に対する説明を参照してよく、簡潔化するために、ここで詳細な説明を省略する。
【０１０３】
本開示の実施例は、直接又は間接的に実行可能なコマンドを呼び出すことによって上記目標対象物追跡方法を実行するプロセッサと、プロセッサにより実行可能なコマンドを記憶するためのメモリと、を含む電子機器を更に提供する。
【０１０４】
本開示の実施例は、コンピュータプログラムコマンドを記憶したコンピュータ読み取り可能な記憶媒体であって、前記コンピュータプログラムコマンドがプロセッサにより実行されると、上記目標対象物追跡方法が実現されるコンピュータ読み取り可能な記憶媒体を更に提供する。コンピュータ読み取り可能な記憶媒体は、非揮発性コンピュータ読み取り可能な記憶媒体であってもよいし、揮発性コンピュータ読み取り可能な記憶媒体であってもよい。
【０１０５】
本開示の実施例は、コンピュータ読み取り可能なコードを含むコンピュータプログラムであって、前記コンピュータ読み取り可能なコードが電子機器上で作動すると、前記電子機器におけるプロセッサを上記目標対象物追跡方法を実行させるコンピュータプログラムを更に提供する。
【０１０６】
図９は例示的実施例に係る電子機器のブロック図である。例えば、電子機器は端末、サーバ又は他の形態の機器として提供される。例えば、電子機器は目標対象物追跡装置１９００を含んでよい。図９を参照すると、機器１９００は、一つ以上のプロセッサを含む処理コンポーネント１９２２、および、処理コンポーネント１９２２によって実行可能な命令、例えばアプリケーションプログラムを記憶するための、メモリ１９３２を代表とするメモリ資源を含む。メモリ１９３２に記憶されたアプリケーションプログラムはそれぞれが一つの命令群に対応する一つ以上のモジュールを含んでもよい。また、処理コンポーネント１９２２は命令を実行することによって上記方法を実行するように構成される。
【０１０７】
機器１９００はさらに、機器１９００の電源管理を実行するように構成された電源コンポーネント１９２６、機器１９００をネットワークに接続するように構成された有線または無線ネットワークインターフェイス１９５０、および入出力（Ｉ／Ｏ）インターフェイス１９５８を含んでもよい。機器１９００はメモリ１９３２に記憶されたオペレーティングシステム、例えばＷｉｎｄｏｗｓ（登録商標）ＳｅｒｖｅｒＴＭ、Ｍａｃ  ＯＳ  ＸＴＭ、ＵｎｉｘＴＭ、ＬｉｎｕｘＴＭ、ＦｒｅｅＢＳＤＴＭまたは類似するものに基づいて動作できる。
【０１０８】
例示的な実施例では、さらに、コンピュータ読み取り可能な記憶媒体、例えばコンピュータプログラム命令を含むメモリ１９３２が提供され、上記コンピュータプログラム命令が機器１９００の処理コンポーネント１９２２によって実行されると上記方法を実行することができる。
【０１０９】
本開示はシステム、方法および／またはコンピュータプログラム製品であってもよい。コンピュータプログラム製品はプロセッサに本開示の各方面を実現させるためのコンピュータ読み取り可能なプログラム命令を有しているコンピュータ読み取り可能な記憶媒体を含んでもよい。
【０１１０】
コンピュータ読み取り可能な記憶媒体は命令実行装置により使用される命令を保存および記憶可能な有形装置であってもよい。コンピュータ読み取り可能な記憶媒体は例えば、電気記憶装置、磁気記憶装置、光記憶装置、電磁記憶装置、半導体記憶装置または上記の任意の適当な組み合わせであってもよいが、これらに限定されない。コンピュータ読み取り可能な記憶媒体のさらに具体的な例（非網羅的リスト）としては、携帯型コンピュータディスク、ハードディスク、ランダムアクセスメモリ（ＲＡＭ）、読み取り専用メモリ（ＲＯＭ）、消去可能プログラマブル読み取り専用メモリ（ＥＰＲＯＭまたはフラッシュメモリ）、静的ランダムアクセスメモリ（ＳＲＡＭ）、携帯型コンパクトディスク読み取り専用メモリ（ＣＤ−ＲＯＭ）、デジタル多用途ディスク（ＤＶＤ）、メモリスティック、フロッピーディスク、例えば命令が記憶されているせん孔カードまたはスロット内突起構造のような機械的符号化装置、および上記の任意の適当な組み合わせを含む。ここで使用されるコンピュータ読み取り可能な記憶媒体は瞬時信号自体、例えば無線電波または他の自由に伝播される電磁波、導波路または他の伝送媒体を経由して伝播される電磁波（例えば、光ファイバーケーブルを通過するパルス光）、または電線を経由して伝送される電気信号と解釈されるものではない。
【０１１１】
ここで記述したコンピュータ読み取り可能なプログラム命令はコンピュータ読み取り可能な記憶媒体から各計算／処理機器にダウンロードされてもよいし、またはネットワーク、例えばインターネット、ローカルエリアネットワーク、広域ネットワークおよび／または無線ネットワークによって外部のコンピュータまたは外部記憶装置にダウンロードされてもよい。ネットワークは銅伝送ケーブル、光ファイバー伝送、無線伝送、ルーター、ファイアウォール、交換機、ゲートウェイコンピュータおよび／またはエッジサーバを含んでもよい。各計算／処理機器内のネットワークアダプタカードまたはネットワークインターフェイスはネットワークからコンピュータ読み取り可能なプログラム命令を受信し、該コンピュータ読み取り可能なプログラム命令を転送し、各計算／処理機器内のコンピュータ読み取り可能な記憶媒体に記憶させる。
【０１１２】
本開示の動作を実行するためのコンピュータプログラム命令はアセンブラ命令、命令セットアーキテクチャ（ＩＳＡ）命令、機械語命令、機械依存命令、マイクロコード、ファームウェア命令、状態設定データ、またはＳｍａｌｌｔａｌｋ、Ｃ＋＋などのオブジェクト指向プログラミング言語、および「Ｃ」言語または類似するプログラミング言語などの一般的な手続き型プログラミング言語を含む一つ以上のプログラミング言語の任意の組み合わせで書かれたソースコードまたは目標コードであってもよい。コンピュータ読み取り可能なプログラム命令は、完全にユーザのコンピュータにおいて実行されてもよく、部分的にユーザのコンピュータにおいて実行されてもよく、スタンドアロンソフトウェアパッケージとして実行されてもよく、部分的にユーザのコンピュータにおいてかつ部分的にリモートコンピュータにおいて実行されてもよく、または完全にリモートコンピュータもしくはサーバにおいて実行されてもよい。リモートコンピュータに関与する場合、リモートコンピュータは、ローカルエリアネットワーク（ＬＡＮ）または広域ネットワーク（ＷＡＮ）を含む任意の種類のネットワークを経由してユーザのコンピュータに接続されてもよく、または、（例えばインターネットサービスプロバイダを利用してインターネットを経由して）外部コンピュータに接続されてもよい。いくつかの実施例では、コンピュータ読み取り可能なプログラム命令の状態情報を利用して、例えばプログラマブル論理回路、フィールドプログラマブルゲートアレイ（ＦＰＧＡ）またはプログラマブル論理アレイ（ＰＬＡ）などの電子回路をパーソナライズし、該電子回路によりコンピュータ読み取り可能なプログラム命令を実行することにより本開示の各方面を実現するようにしてもよい。
【０１１３】
なお、ここで本開示の実施例に係る方法、装置（システム）およびコンピュータプログラム製品のフローチャートおよび／またはブロック図を参照しながら本開示の各方面を説明しが、フローチャートおよび／またはブロック図の各ブロックおよびフローチャートおよび／またはブロック図の各ブロックの組み合わせは、いずれもコンピュータ読み取り可能なプログラム命令によって実現できることを理解すべきである。
【０１１４】
これらのコンピュータ読み取り可能なプログラム命令は、汎用コンピュータ、専用コンピュータまたは他のプログラマブルデータ処理装置のプロセッサへ提供されて、これらの命令がコンピュータまたは他のプログラマブルデータ処理装置のプロセッサによって実行されると、フローチャートおよび／またはブロック図の一つ以上のブロックにおいて指定された機能／動作を実現するように機械を製造してもよい。また、これらのコンピュータ読み取り可能なプログラム命令は、コンピュータ読み取り可能な記憶媒体に記憶し、コンピュータ、プログラマブルデータ処理装置および／または他の機器を特定の方式で動作させるようにしてもよい。命令を記憶しているコンピュータ読み取り可能な記憶媒体は、フローチャートおよび／またはブロック図の一つ以上のブロックにおいて指定された機能／動作の各方面を実現するための命令を有する製品を含む。
【０１１５】
コンピュータ読み取り可能なプログラムをコンピュータ、他のプログラマブルデータ処理装置、または他の機器にロードし、コンピュータ、他のプログラマブルデータ処理装置または他の機器に一連の動作ステップを実行させることにより、コンピュータにより実現されるプロセスを生成し、コンピュータ、他のプログラマブルデータ処理装置、または他の機器において実行される命令によりフローチャートおよび／またはブロック図の一つ以上のブロックにおいて指定された機能／動作を実現する。
【０１１６】
図面のうちフローチャートおよびブロック図は、本開示の複数の実施例に係るシステム、方法およびコンピュータプログラム製品の実現可能なシステムアーキテクチャ、機能および動作を示す。この点では、フローチャートまたはブロック図における各ブロックは一つのモジュール、プログラムセグメントまたは命令の一部分を代表することができ、前記モジュール、プログラムセグメントまたは命令の一部分は、指定された論理機能を実現するための一つ以上の実行可能命令を含む。いくつかの代替としての実現形態では、ブロックに表記される機能は図面に付した順序と異って実現してもよい。例えば、二つの連続的なブロックは実質的に同時に実行してもよく、また、係る機能によって、逆な順序で実行してもよい。なお、ブロック図および／またはフローチャートにおける各ブロック、およびブロック図および／またはフローチャートにおけるブロックの組み合わせは、指定される機能または動作を実行するハードウェアに基づく専用システムによって実現してもよいし、または専用ハードウェアとコンピュータ命令との組み合わせによって実現してもよいことに注意すべきである。
【０１１７】
以上、本開示の各実施例を記述したが、上記説明は例示的なものに過ぎず、網羅的なものではなく、かつ披露された各実施例に限定されるものでもない。当業者にとって、説明された各実施例の範囲および精神から逸脱することなく、様々な修正および変更が自明である。本明細書に選ばれた用語は、各実施例の原理、実際の適用または市場における技術への技術的改善を好適に解釈するか、または他の当業者に本文に披露された各実施例を理解させるためのものである。
【０１１８】
本願は、２０１８年６月１日に中国特許局に提出された、出願番号２０１８１０５５８５２３．６、発明の名称「目標対象物追跡方法及び装置、電子機器並びに記憶媒体」の中国特許出願の優先権を主張し、その開示の全てが参照によって本願に組み込まれる。
【図１】
2021508900.tif 000003
【図２】
2021508900.tif 000004
【図３】
2021508900.tif 000005
【図４】
2021508900.tif 000006
【図５】
2021508900.tif 000007
【図６】
2021508900.tif 000008
【図７】
2021508900.tif 000009
【図８】
2021508900.tif 000010
【図９】
2021508900.tif 000011
【国際調査報告】
2021508900.tif 000012
2021508900.tif 000013
2021508900.tif 000014
2021508900.tif 000015